(57)【要約】本発明は遠隔制御装置用衛生ケース（１）に関し、遠隔制御装置用衛生ケース（１）は、遠隔制御装置（５）を完全に又は実質的に完全に覆うように構成される第１の包装材（８）と、第１の包装材（８）を完全に又は実質的に完全に覆うように第１の包装材（８）の外側に固定され、第１の包装材（８）から永久的に取り外し可能である第２の包装材（９）と、を備える。【選択図】図５
2021524195.tif 000002
【特許請求の範囲】
【請求項１】
遠隔制御装置（２ａ、２ｂ）を完全に又は実質的に完全に覆うように構成される第１の包装材（８）を備え、
前記第１の包装材（８）を完全に又は実質的に完全に覆うように前記第１の包装材（８）の外側に固定され、前記第１の包装材（８）から永久的に取り外し可能である第２の包装材（９）を備えることを特徴とする、遠隔制御装置用衛生ケース（１）。
【請求項２】
前記第２の包装材（９）が接着及び／又は溶接によって前記第１の包装材に固定されることを特徴とする、請求項１に記載のケース（１）。
【請求項３】
前記第２の包装材（９）が連結要素（１０）によって前記第１の包装材（８）に固定されることを特徴とする、請求項１又は２に記載のケース（１）。
【請求項４】
前記連結要素（１０）の永久的な破壊によって前記第１の包装材（８）からの前記第２の包装材（９）の永久的な取り外しが行われることを特徴とする、請求項３に記載のケース（１）。
【請求項５】
前記第２の包装材（９）が消毒物質で含浸／処理されていることを特徴とする、請求項１〜４のいずれか一項に記載のケース（１）。
【請求項６】
前記第２の包装材（９）が前記第１の包装材（８）の外面（８ａ）に取り外し可能に固定される１つ以上の層又はフィルムを含み、前記第１の包装材（８）を完全に覆うことを特徴とする、請求項１〜５のいずれか一項に記載のケース（１）。
【請求項７】
遠隔制御装置（２ａ、２ｂ）のアクセス開口部（１１）を備えることを特徴とする、請求項１〜６のいずれか一項に記載のケース（１）。
【請求項８】
前記アクセス開口部（１１）を完全に又は実質的に完全に閉鎖するように構成される閉鎖システム（１２）を備えることを特徴とする、請求項７に記載のケース（１）。
【請求項９】
前記閉鎖システムが、前記アクセス開口部（１１）の境界部付近で前記第１の包装材（８）の内面（８ｂ）上に配置される接着剤層（１２）を備え、前記閉鎖システムは前記境界部が閉鎖位置で固着されることを可能にするように構成され、前記アクセス開口部（１１）を恒久的に閉鎖し、又は、前記閉鎖システムがカーソルを有し又は有さないジッパー（１６）を備えることを特徴とする、請求項８に記載のケース（１）。
【請求項１０】
前記第１の包装材（８）から前記第２の包装材（９）を取り外すのを容易にする把持要素（１４）を備えることを特徴とする、請求項１〜９のいずれか一項に記載のケース（１）。
【発明の詳細な説明】
【技術分野】
【０００１】
本発明は、遠隔制御装置用衛生ケースに関する。
【背景技術】
【０００２】
現在一般的に利用されている建物、すなわち、例えばホテルの部屋、病院等のように複数の利用者が利用するように構成された建物において、有線又は無線の遠隔制御装置を使用し、テレビ、ラジオ、ベッド傾斜装置、カーテン開閉器、空調システム等のような電気又は電子装置を遠隔制御することが知られている。
【０００３】
典型的にはこのような共用建物を入れ替わりで利用する利用者がこのような遠隔制御装置を取り扱うが、このような遠隔制御装置を次の利用者が使用する前に適切に洗浄又は衛生処理していない場合には、それ以前の使用中に遠隔制御装置上に付着したかもしれない細菌、バクテリア、ウイルス、又は他の病原体が次の利用者に伝染するおそれがある。
【０００４】
既知の研究では、実際にテレビの遠隔制御装置がホテルの部屋において最も細菌汚染がある領域であることを確認している。
【０００５】
このような問題を回避しようとするために、例えば既知の特許文献１があり、これは遠隔制御装置用ケースを記載する。遠隔制御装置用ケースは少なくとも１つのキーパッドを含む遠隔制御装置全体を実質的に被覆するコーティング包装材を備え、コーティング包装材は少なくとも部分的に透明であり、遠隔制御装置のキーパッドに配置してキーパッドを視認可能にすることができる少なくとも１つのセクタを含む。ケースは少なくとも１つの被覆要素を含み、被覆要素は実質的にセクタにおいてコーティング包装材に取り外し可能に結合され、被覆要素がコーティング包装材から取り外されるまでキーパッドが見えないように構成されている。
【０００６】
被覆要素があると、利用者はキーパッドを見ることができない。そのため、利用者は
遠隔制御装置を自由に使用できるようにするために被覆要素を取り外さなければならない。このようにして、利用者はそれまで被覆要素に被覆されていた領域が前の利用者に取り扱われていないことを確認する。
【０００７】
しかしながら、引用文献１に記載の既知の解決策は、複数の利用者が使用するように構成される遠隔制御装置を使用する場合の衛生状態を確保する課題を解決しない。実際に、このような既知の解決策はキーパッド上の包装材領域のみの衛生状態を確保し、被覆要素によって保護する一方で、包装材の残りの部分は汚染のおそれに曝されたままである。
【０００８】
実際に、第１の利用者は被覆要素を使用することなく装置を制御する、つまり被覆要素を取り外すことなく遠隔制御装置を取り扱う、例えば遠隔制御装置を動かすことができる。この場合、遠隔制御装置を使用しなければならない第２の利用者が被覆要素を取り外しても、被覆要素に元々覆われていない包装材領域上に付着したかもしれない細菌、バクテリア、ウイルス、又は他の病原体と接触することになり、したがってこの取り外しは第２の利用者を保護するのに効果的でない。例えば、遠隔制御装置を使用する建物の清掃員がケースに挿入するために、ケースの被覆要素に覆われていない領域を取り扱わなければならないという事実も汚染のおそれを強調する。
【先行技術文献】
【特許文献】
【０００９】
【特許文献１】イタリア特許出願公開第２０１２０２８２号明細書（MO2012A0000282）
【発明の概要】
【発明が解決しようとする課題】
【００１０】
本発明の目的は前述の欠点を回避し、特にこのようなケースが以前既に取り扱われていた場合であっても、遠隔制御装置の利用者に衛生的な状態での使用を保証することができる遠隔制御装置用衛生ケースを得ることである。
【００１１】
本発明の別の目的は、使いやすい遠隔制御装置用衛生ケースを提供することである。
【００１２】
本発明のさらなる目的は、様々なタイプの遠隔制御装置と組み合わせて使用することができる遠隔制御装置用衛生ケースを作ることである。
【課題を解決するための手段】
【００１３】
本発明によるこれら及び他の目的は、遠隔制御装置用衛生ケースを作ることによって達成される。遠隔制御装置用衛生ケースは、遠隔制御装置を完全に又は実質的に完全に覆うように構成される第１の包装材と、第１の包装材を完全に又は実質的に完全に覆うように第１の包装材の外側に固定される第２の包装材と、を備え、このような第２の包装材は第１の包装材から永久的に取り外し可能である。
【００１４】
有利には第２の包装材の取り外しの前に、第２の包装材が好ましくは「殻」又は「表皮」のように、第１の包装材、特に第１の包装材の外面を完全に又は実質的に完全に覆う。
【００１５】
第２の包装材は第１の包装材、特に第１の包装材の外面を完全に又は実質的に完全に覆い、このような第２の包装材を取り外す前に第１の包装材の外面が細菌、ウイルス、バクテリア又は他の病原体と接触することを防止する。
【００１６】
第２の包装材は第１の包装材を完全に覆い、第１の包装材から完全に取り外すことができるので、これは完全な衛生状態を確保する解決策である。実際、以前にケースを取り扱っていた人が誰であろうと、利用者が第２の包装材を取り外して第１の包装材内に絶対的な衛生状態で閉じられていた遠隔制御装置を使用できれば十分である。実際第２の包装材が取り外されるまでは、第２の包装材の外面がそれ以前に接触したかもしれない細菌、ウイルス、バクテリア、及び他の病原体から、第２の包装材が第１の包装材を完全に保護し、したがって第２の包装材が下にある第１の包装材の完全な衛生状態を確保する。
【００１７】
本特許出願において「実質的に完全に覆う」という表現は、物体（例えば遠隔制御装置、包装材）の全体を覆うことを意味するが、多量の細菌、ウイルス、バクテリア、又は可能性のある病原体を通過させる危険性がないほど非常に小さい領域（例えば非常に小さいサイズ、特に１ミリメートル未満の穴又は開口部に起因する）を除外する可能性があることを強調しなければならない。
【００１８】
有利には、第２の包装材の取り外しの前に、第２の包装材が「殻」又は「表皮」のように第１の包装材を完全に覆う。
【００１９】
有利には第２の包装材が第１の包装材から取り外された後は、第２の包装材を第１の包装材上に再び固定することができない。
【００２０】
このようにして第２の包装材が汚染された後に第２の包装材が取り外され、その後例えば誤って第１の包装材に再び貼り付けられる危険性を回避する。
【００２１】
有利には第２の包装材を接着及び／又は溶接によって第１の包装材に固定することができる。
【００２２】
好ましい実施形態では、第２の包装材は取り外すと永久的な変形及び／又は破壊及び／又は機械的劣化及び／又は美的劣化を引き起こすような構造及び／又は材料で作られ、このような第２の包装材を再使用できなくする。
【００２３】
好ましい実施形態では、第２の包装材は第１の包装材の外面を（「殻」又は「表皮」のように）完全に覆う層又はフィルム（又は複数の層及び／又はフィルム）から作ることができる。好ましくはこのような層又はフィルムを例えば取り外し可能な接着剤によって第１の包装材の外面に固定し、このような層又はフィルムの取り外しは好ましくは層又はフィルムの永久的な変形及び／又は破壊及び／又は機械的劣化及び／又は美的劣化を引き起こし、その後層又はフィルムを第１の包装材上に再び固定すること又はより一般的に再使用されることを防止する。
【００２４】
さらなる有利な実施形態では、第２の包装材を連結要素によって第１の包装材に固定することができる。この場合好ましくは連結要素の永久的な破壊によって、第１の包装材からの第２の包装材の永久的な取り外しを行う。
【００２５】
好ましくは可能な連結要素が弱化構造を有し、その破壊を容易にするように構成される。
【００２６】
好ましい実施形態では、可能な連結要素を第１の包装材及び第２の包装材と共に一体として（すなわち、単一の本体として）作る。好ましくは連結要素と、第１の包装材と第２の包装材とを共成形によって作る。
【００２７】
有利には第１の包装材を適切な密度のプラスチック材料から作り、細菌又はバクテリアを通過させない。
【００２８】
好ましくは、第１の包装材を生分解性、再生利用可能な非生分解性又は非再生利用タイプのポリエチレン（ＰＥ）又は別のプラスチック材料から作ることができる。
【００２９】
有利には第２の包装材を適切な密度のプラスチック材料から作り、細菌又はバクテリアを通過させない。
【００３０】
好ましくは、第２の包装材を生分解性、再生利用可能な非生分解性又は非再生利用タイプのポリエチレン（ＰＥ）又は別のプラスチック材料から作ることができる。
【００３１】
好ましい実施形態では、第２の包装材は例えば「ＡＭＵＣＨＩＮＡ」（登録商標）という商品名で知られる物質のような消毒物質で含浸／処理される。
【００３２】
好ましい実施形態では、ケースが封筒状の構成を有し、より好ましくは矩形平面、場合によっては面取り又は丸みを帯びた境界部を有する。
【００３３】
有利にはケースが柔軟性を有し、必ずしも必要ではないが、好ましくは弾性的に変形可能な構造を有し、様々なタイプ及びサイズの遠隔制御装置により良く適応する。
【００３４】
好ましい実施形態では、第１の包装材が封筒状の構成を有し、より好ましくは矩形平面、場合によっては面取り又は丸みを帯びた境界部を有する。
【００３５】
好ましくは第１の包装材が柔軟性を有し、必ずしも必要ではないが、好ましくは弾性的に変形可能な構造を有し、様々なタイプ及びサイズの遠隔制御装置により良く適応する。
【００３６】
好ましい実施形態では、第２の包装材が封筒状の構成を有し、より好ましくは矩形平面、場合によっては面取り又は丸みを帯びた境界部を有し、「殻」又は「表皮」のように第１の包装材を完全に又は実質的に完全に覆うように配置される。
【００３７】
好ましくは第２の包装材が柔軟性を有し、必ずしも必要ではないが、好ましくは弾性的に変形可能な構造を有し、様々なタイプ及びサイズの遠隔制御装置により良く適応する。
【００３８】
さらなる有利な実施形態では、第２の包装材が第１の包装材の外面に取り外し可能に固定される１つ以上の層又はフィルムを含み、「殻」又は「表皮」のように第１の包装材を完全に覆う。
【００３９】
有利には、ケースが遠隔制御装置のアクセス開口部を含む。好ましくはケースがこのようなアクセス開口部を完全に又は実質的に完全に閉鎖するように構成される閉鎖システムを備える。好ましい実施形態では、このような閉鎖システムがカーソルの有無にかかわらず接着剤及び／又はジッパーを含む。より好ましくは、このような閉鎖システムが接着剤層を備え、接着剤層はアクセス開口部の境界部付近で第１の包装材の内面上に配置されてこのような境界部を閉鎖位置に固着することを可能にするように構成され、アクセス開口部を永久的に閉鎖する。好ましくは、ケースが接着剤層の取り外し可能な保護要素を備え、このような取り外し可能な保護要素を取り外す前にアクセス開口部の接着による閉鎖を防止するように構成される。好ましくは、取り外し可能な保護要素がプラスチック材料の帯状部を含む。
【００４０】
ケースが封筒状構造を有する有利な場合には、好ましくはアクセス開口部をこのような封筒の周囲端部に形成することができる。
【００４１】
さらなる有利な実施形態では、このような第２の包装材の取り外し可能な領域によって第２の包装材を第１の包装材に固定することができ、例えば取り外し可能な接着剤又は溶着によって、好ましくはアクセス開口部の境界部において第１の包装材の外面を覆うように固定することができる。
【００４２】
好ましい実施形態では、ケースが好ましくは第２の包装材上に配置される把持要素を備え、第１の包装材から第２の包装材を取り外すのを容易にする。より好ましくは、このような把持要素は第２の包装材の外面から突出する舌部を備える。
【００４３】
有利には第１の包装材が、第１の包装材に挿入される遠隔制御装置のキーパッド上に被さるように構成される透明領域を含む。
【００４４】
必ずしも必要ではないが、好ましくは第１の包装材は完全に透明である。
【００４５】
好ましい実施形態では、第２の包装材が第１の包装材の透明領域上に少なくとも部分的に被さる少なくとも１つの遮蔽領域を含み、ケース内に挿入される遠隔制御装置のキーパッドを少なくとも部分的に隠し、及び／又は第２の包装材が第１の包装材に固定されている間は遠隔制御装置のキーパッドを自由に使用できないようにする。
【００４６】
さらなる有利な実施形態では、第２の包装材の可能な遮蔽領域が不透明又は部分的に不透明であり、ケースに挿入する遠隔制御装置のキーパッドを少なくとも部分的に隠し、及び／又は第２の包装材が第１の包装材に固定されている間は遠隔制御装置のキーパッドを自由に使用できないようにする。
【００４７】
好ましくは、第２の包装材の可能な遮蔽領域が第２の包装材の可能な遮蔽領域上に配置される１つ以上の表示文及び／又は画像を含み、ケースに挿入する遠隔制御装置のキーパッドを少なくとも部分的に隠し、及び／又は第２の包装材が第１の包装材に固定されている間は遠隔制御装置のキーパッドを自由に使用できないようにするようにする。好ましくは、可能な１つ以上の表示文及び／又は画像が第２の包装材の取り外しに関する少なくとも１つの指示を含む。
【００４８】
さらなる有利な実施形態では、第２の包装材の可能な遮蔽領域の剛性及び／又は厚さを増大させ、第２の包装材が第１の包装材に固定されている間はケースに挿入する遠隔制御装置のキーパッドを自由に使用できないようにする。
【図面の簡単な説明】
【００４９】
【図１】遠隔制御装置をケースに挿入する前の遠隔制御装置及び本発明によるケースの概略平面図である。
【図２】図１の遠隔制御装置及びケースの側面図である。
【図３】遠隔制御装置をケースに挿入中の図１の遠隔制御装置及びケースの側面図である。
【図３ｂ】図３の拡大詳細図である。
【図４】遠隔制御装置をケースに完全に挿入した図１の遠隔制御装置及びケースの側面図である。
【図５】第１の包装材から第２の包装材を取り外している間の図１の遠隔制御装置及びケースの側面図である。
【図６】第１の包装材から第２の包装材を取り外すさらなるステップ中の図１の遠隔制御装置及びケースの側面図である。
【図７】第２の包装材を完全に取り外した状態の、図１のケースに挿入した遠隔制御装置の側面図である。
【図８】遠隔制御装置を使用中の図１の遠隔制御装置及びケースの側面図である。
【図９】第２の包装材を取り外した状態の、本発明によるケースに挿入した有線遠隔制御装置の概略平面図である。
【図１０】図９の遠隔制御装置及びケースの側面図である。
【図１１】本発明によるケースのさらなる実施形態に挿入した遠隔制御装置の概略平面図である。
【図１２】第２の包装材を取り外す前の、本発明によるケースのさらなる実施形態に挿入した遠隔制御装置の概略平面図である。
【図１３】第２の包装材を取り外す様々なステップにおける図１２の遠隔制御装置及びケースの概略平面図である。
【図１４】第２の包装材を取り外す様々なステップにおける図１２の遠隔制御装置及びケースの概略平面図である。
【図１５】第２の包装材を取り外す様々なステップにおける図１２の遠隔制御装置及びケースの概略平面図である。
【図１６】本発明によるケースのさらなる変形実施形態の概略平面図である。
【発明を実施するための形態】
【００５０】
本発明による遠隔制御装置用衛生ケースの特徴及び利点は、添付の概略図を参照して、限定の目的ではなく例として与えられる以下の説明からより明らかになるであろう。
【００５１】
添付の図面を参照すると、遠隔制御装置用衛生ケースの全体を符号１で示している。図１〜図８、及び図１１〜図１５は、電気又は電子装置の遠隔制御に使用可能な無線式の符号２ａで示す遠隔制御装置の第１の例を図示する。図８の非限定的な例では遠隔制御装置２ａによって遠隔制御可能な電子機器はテレビ３であるが、図示していない別の実施形態では例えばラジオ、コンピュータ、傾斜ベッド、カーテン開閉装置、エアコン制御装置等であってもよい。
【００５２】
例えば図９及び図１０に例示するさらなる実施形態では、符号２ｂで示す遠隔制御装置は有利には有線式、即ち、遠隔制御装置２ｂを介して制御される電気又は電子装置（図示せず）に接続するケーブル４を設けるものでもよい。
【００５３】
いずれにしても、本発明は無線遠隔制御装置及び有線遠隔制御装置の両方で使用できることを強調する。
【００５４】
無線式２ａ及び有線式２ｂの両方の遠隔制御装置は、好ましくは電気機械式及び／又は「タッチ」タイプの１つ以上のキー６を備えるキーパッド５を備え、このキーパッドを作動させる、例えばキーパッド５を押すことにより、図８に指７を概略的に示している利用者は遠隔制御装置によって遠隔操作する装置の１つ以上の機能を作動させることができる。例えばこのような装置がテレビ３である場合には、キーパッド５によりチャネルの変更、音量の増大等をさせることができる。
【００５５】
例えば遠隔制御装置がベッドの傾斜を制御するものである場合、キーパッド５はこのような傾斜を制御するキーを備えることができる。
【００５６】
ケース１は遠隔制御装置２ａ又は２ｂを完全に又は実質的に完全に収容するように構成される第１の包装材８を備える。
【００５７】
有利には第１の包装材８はケース１の中に挿入する遠隔制御装置２ａ、２ｂのキーパッド５上に被さるように構成される少なくとも１つの透明領域８０を含み、利用者がキーパッド５を見ることができる。
【００５８】
必ずしも必要ではないが、有利には第１の包装材は完全に透明である。
【００５９】
ケース１は第１の包装材８を完全に又は実質的に完全に覆うように第１の包装材８の外側に固定される第２の包装材９からなり、このような第１の包装材８から永久的に取り外し可能である。
【００６０】
有利には第２の包装材９の取り外し前に、第２の包装材は「殻」又は「表皮」のように第１の包装材８、特にその外面８ａを完全に覆う。
【００６１】
以下でより良く説明されるように、有利には第２の包装材９が第１の包装材８から取り外されると、第２の包装材９は第１の包装材８に再び固定することができない。
【００６２】
有利には第１の包装材８は適切な密度のプラスチック材料から作られ（例えば、０．００５ｍｍ〜１ｍｍの厚さを有することができる）、細菌又はバクテリアを通過させない。好ましくは第１の包装材８は生分解性、再生利用可能な非生分解性又は非再生利用タイプのポリエチレン（ＰＥ）又は別のプラスチック材料から作られる。
【００６３】
有利には第２の包装材９も適切な密度のプラスチック材料から作られ（例えば、０．００５ｍｍ〜１ｍｍの厚さを有することができる）、細菌又はバクテリアを通過させず、好ましくは生分解性、再生利用可能な非生分解性又は非再生利用タイプのポリエチレン（ＰＥ）又は別のプラスチック材料から作られる。必ずしも必要ではないが、有利には第２の包装材９は例えば「ＡＭＵＣＨＩＮＡ」（登録商標）という商品名で知られる物質のような消毒物質で含浸又は処理される。
【００６４】
好ましい実施形態では、第２の包装材９を接着及び／又は溶接によって第１の包装材８に固定する。
【００６５】
例えば、第２の包装材９は第１の包装材８の外面８ａを（「殻」又は「表皮」のように）完全に覆う層又はフィルムから作ることができる。このような層又はフィルムを例えば取り外し可能な接着剤によってこのような外面８ａに固定し、このような層又はフィルムの取り外しは層又はフィルムの永久的な変形及び／又は破壊及び／又は機械的劣化及び／又は美的劣化を引き起こし、その後層又はフィルムを第１の包装材８に再び固定すること又はより一般的に再使用されることを防止する。
【００６６】
例えば図１〜図８に示すさらなる有利な実施形態では、第２の包装材９を連結要素１０によって第１の包装材８に固定することができる。有利には連結要素１０を代替的に又は組み合わせて、例えば接着のようなさらなる固定手段を設けることができる。
【００６７】
例えば、第２の包装材９は第１の包装材８の外面８ａを完全に覆う層又はフィルムから作ることができ、このような層又はフィルムを取り外し可能な接着剤を介してこのような外面８ａに固定し、さらに連結要素１０、例えば第１の包装材８を第２の包装材９に接合するプラスチック材料のフラップによって第１の包装材８に固定する。
【００６８】
好ましくは、連結要素１０は、第１の包装材８の外面８ａを第２の包装材９の内面９ｂに接合し、第２の包装材９が第１の包装材８を完全に覆うときに第２の包装材９によって完全に覆われるように配置され、第２の包装材９はまた、第２の包装材９を取り外す前に第２の包装材９の外面９ａに接触する可能性のある細菌、ウイルス、バクテリア、又は他の病原体との接触から連結要素１０を保護する。
【００６９】
有利には連結要素１０の永久的な破壊によって、第１の包装材８からの第２の包装材９の永久的な取り外しを行う。
【００７０】
例えば図６及び図７を参照すると、このような第２の包装材９を第１の包装材８から永久的に取り外すために第１の包装材８から離れる方向に第２の包装材９の牽引力を作用させることにより、一旦連結要素１０の極限引張強度を超えると連結要素１０が破壊し、その結果第２の包装材９を第１の包装材８から永久的に取り外す。
【００７１】
必ずしも必要ではないが、好ましくは連結要素１０は連結要素１０の破壊を容易にするように構成される弱化構造を有する。例えば連結要素１０は連結要素１０に沿って穴が一連に整列する破壊ミシン目を有することができ、引き裂きに対する抵抗を低減する。
【００７２】
必ずしも必要ではないが、好ましくは連結要素１０は第１の包装材８及び第２の包装材９と一体に作られ、例えばこのような３つの要素の共成形によって、又は連結要素１０を第１の包装材及び第２の包装材上に重ね成形することによって、それらを一緒に連結する。
【００７３】
有利にはケース１は封筒状の構成を有し、好ましくは矩形平面、場合によっては面取り又は丸みを帯びた境界部を有する。
【００７４】
好ましくはケース１は柔軟性を有し、必ずしも必要ではないが、有利には弾性的に変形可能な構造を有し、様々なタイプ及びサイズの遠隔制御装置により良く適応する。
【００７５】
好ましい実施形態では、第１の包装材８は封筒状の構成を有し、好ましくは矩形平面、場合によっては面取り又は丸みを帯びた境界部を有する。
【００７６】
好ましくは第１の包装材８は柔軟性を有し、必ずしも必要ではないが、有利には弾性的に変形可能な構造を有し、様々なタイプ及びサイズの遠隔制御装置により良く適応する。
【００７７】
好ましい実施形態では、第２の包装材９は封筒状の構成を有し、より好ましくは矩形平面、場合によっては面取り又は丸みを帯びた境界部を有し、「殻」又は「表皮」のように第１の包装材を完全に又は実質的に完全に覆うように配置される。
【００７８】
好ましくは第２の包装材９は柔軟性を有し、必ずしも必要ではないが、有利には弾性的に変形可能な構造を有し、様々なタイプ及びサイズの遠隔制御装置により良く適応する。
【００７９】
添付の図に示されていない有利な変形実施形態では、第２の包装材９は第１の包装材８の外面８ａに取り外し可能に固定される１つ以上の層又はフィルムを含み、第１の包装材８を完全に又は実質的に完全に覆うことができる。
【００８０】
有利にはケース１は遠隔制御装置２ａ、２ｂを挿入するアクセス開口部１１を含む。
【００８１】
ケース１が封筒状構造を有する場合には、有利にはアクセス開口部１１をこのような封筒の周囲端部に形成することができる。
【００８２】
図示されていない更なる有利な実施形態では、アクセス開口部１１をケース１の様々な位置に形成することができる。
【００８３】
好ましくは、ケース１はアクセス開口部１１を完全に又は実質的に完全に閉鎖するように構成される閉鎖システムを備える。
【００８４】
本特許出願において「アクセス開口部を実質的に完全に閉鎖する」という表現は、開口部を完全に閉鎖することを意味し、大量の細菌、ウイルス、バクテリア、又は可能性のある病原体を通過させる危険性がないほど非常に小さい領域（好ましくは最大寸法１ミリメートル未満）を除外する可能性があることを強調する。
【００８５】
有利にはアクセス開口部１１の閉鎖システムはカーソルの有無にかかわらず接着剤及び／又はジッパーを含むことができる。
【００８６】
例えば図３ｂに概略的に例示する例示的な実施形態では、このような閉鎖システムは有利には接着剤層１２を備え、接着剤層１２はアクセス開口部１１の境界部付近で第１の包装材８の内面８ｂ上に配置される。接着剤層１２はこのような境界部を閉鎖位置（例えば、図４に示すように）に固着することを可能にし、アクセス開口部１１を永久的に閉鎖する。
【００８７】
有利にはケース１は接着剤層１２の取り外し可能な保護要素１３を備えることができ、このような取り外し可能な保護要素１３を取り外す前のアクセス開口部１１の接着による閉鎖を防止するように構成される。
【００８８】
有利には取り外し可能な保護要素１３はプラスチック材料の帯状部を含むことができる。
【００８９】
図９及び図１０に例示する例示的な実施形態では、ケース１の柔軟性によりアクセス開口部１１の境界部はアクセス開口部１１の境界部を閉鎖してケーブル４を包み込むことができ、ケーブル４がケース１から出ることを可能にすると同時に、遠隔制御装置２ｂをケース１内に完全に又は実質的に完全に閉じることを確実にする。
【００９０】
図１１に概略的に示すさらなる実施形態では、アクセス開口部１１の閉鎖システムは、第１の包装材８上のこのようなアクセス開口部１１に配置されるジッパー１６又は任意の既知の固定手段を含むことができる。図１１の例示的な実施形態ではジッパー１６にはカーソルを設けていないが、図示されていないさらなる有利な実施形態ではジッパー１６にカーソルを設けることができ、ジッパーの閉鎖を容易にするように構成される。
【００９１】
図１２〜図１５に概略的に示すさらなる有利な実施形態では、第２の包装材９をこのような第２の包装材の取り外し可能な領域１７を介して第１の包装材８に固定することができ、例えば取り外し可能な接着剤を介して、有利にはアクセス開口部１１の境界部において外面８ａを覆うように固定することができる。
【００９２】
図１２〜図１５に概略的に例示するように、このような有利な実施形態では、例えば無線式の遠隔制御装置２ａ（ただし有線式の遠隔制御装置２ｂの場合も同様）をケース１に挿入し、アクセス開口部１１をアクセス開口部１１に設ける閉鎖システム（例えば、カーソルの有無にかかわらず、接着剤及び／又はジッパー）を介して閉鎖すると、第２の包装材９の取り外し可能領域な１７を例えば弱化領域１８で引き裂き、第１の包装材８の外面８ａから例えば引っ張って分離させることによって、第２の包装材９自体の残りの部分から取り外すことができる。この時点で例えば図１４及び図１５に例示するように、第２の包装材９を取り外し、遠隔制御装置２ａを第１の包装材８によって保護されたままにできる。
【００９３】
有利にはケース１は第１の包装材８から第２の包装材９を取り外すのを容易にするように構成される把持要素を備えることができる。
【００９４】
好ましくは、把持要素は第２の包装材９の外面９ａから突出する舌部１４を備える。
【００９５】
例えば図１６に示す有利な変形実施形態では、第２の包装材９が第１の包装材８の透明領域８０上に少なくとも部分的に被さる少なくとも１つの遮蔽領域１５を含み、ケース１内に挿入する遠隔制御装置２ａ、２ｂのキーパッド５を少なくとも部分的に隠し、及び／又はこのような第２の包装材９が第１の包装材８に固定されている間は遠隔制御装置２ａ、２ｂのキーパッド５を自由に使用できないようにする。
【００９６】
有利な実施形態では、第２の包装材９の遮蔽領域１５は不透明又は部分的に不透明であり、ケース１内に挿入する遠隔制御装置２ａ、２ｂのキーパッド５を少なくとも部分的に隠し、及び／又はこのような第２の包装材９が第１の包装材８に固定されている間は遠隔制御装置２ａ、２ｂのキーパッド５を自由に使用できないようにする。
【００９７】
必ずしも必要ではないが、好ましくは遮蔽領域１５は遮蔽領域１５上に配置される１つ以上の表示文及び／又は画像を含み、ケース１内に挿入する遠隔制御装置２ａ、２ｂのキーパッド５を少なくとも部分的に隠し、及び／又はこのような第２の包装材９が第１の包装材８に固定されている間は遠隔制御装置２ａ、２ｂのキーパッド５を自由に使用できないようにする。
【００９８】
好ましくは、このような１つ以上の表示文及び／又は画像は第２の包装材９の取り外しに関する少なくとも１つの指示を含み、このような指示は例えば遠隔制御装置を使用する前に第２の包装材９を取り外さなければならないという指示を含むことができる。
【００９９】
さらなる有利な実施形態では、遮蔽領域１５の剛性及び／又は厚さを増大させ、第２の包装材９が第１の包装材８に固定されている間はケース１に挿入する遠隔制御装置２ａ、２ｂのキーパッド５を自由に使用できないようにする（例えば、遮蔽領域１５の厚さが増大することでキーパッドを自由に取り扱うことができなくなるため）。このような剛性及び／又は厚さの増大は、例えば第２の包装材９の内側又は上方に剛性プラスチック材料からなる挿入物を配置することで達成することができる。
【０１００】
図示されていない更なる有利な変形実施形態では、遮蔽領域１５があるかどうかにかかわらず第１の包装材８及び／又は第２の包装材９は１つ以上の表示文及び／又は図面を保持し、例えば商品名若しくはロゴ及び／又はケース１を使用する操作命令を示すことができ、これは例えば使用前に第２の包装材９を取り外す命令、又は第２の層が存在しない場合（例えば、前の利用者によって既に取り外されているため）に新しいケース１を要求する命令等である。
【０１０１】
本発明によるケース１の操作は以下の通りである。
【０１０２】
遠隔制御装置を設置する建物を清掃し、新しい利用者を受け入れる準備をするときはいつでも、清掃及び／又は準備担当者は遠隔制御装置２ａ、２ｂ上に既に存在する可能性のあるケースを取り外し、本発明によるケース１内にアクセス開口部１１を介して遠隔制御装置２ａ、２ｂを挿入し、遠隔制御装置２ａ、２ｂがケース１内で完全に又は実質的に完全に閉じられることを確認する。
【０１０３】
次に、例えば図１〜図１０を参照して、ケース１に存在する閉鎖システムを介してアクセス開口部９を閉鎖し、保護要素１３を取り外し、次いで接着剤層１２上のアクセス開口部１１の境界部を閉鎖し、閉鎖状態でアクセス開口部１１の境界部を封止する。図１１に例示するさらなる実施形態では、ジッパー１６の作用でアクセス開口部を閉鎖することができる。
【０１０４】
このような状態で遠隔制御装置２ａ、２ｂはケース１によって完全に閉じられる。遠隔制御装置２ｂが有線式の場合にはケーブル４のみがケース１から出てくる。
【０１０５】
新しい利用者がケース１内に閉じられた遠隔制御装置２ａ、２ｂを使用しようとするとき、遠隔制御装置２ａ、２ｂを使用する前に例えば把持要素１４に作用して、前もって第１の包装材８及び遠隔制御装置２ａ、２ｂを完全に閉じていた第２の包装材９を取り外す。
【０１０６】
一旦取り外されると、例えば第２の包装材９の取り外し中に劣化するため、及び／又は第１の包装材８に接合していた可能性のある連結要素１０を第２の包装材９の取り外し中に破壊するため、第２の包装材９を第１の包装材８に再び固定することができない。
【０１０７】
第２の包装材９が存在することで第２の包装材９を取り外す前にその下にある第１の包装材８の外面８ａが保護され、その結果、第２の包装材９を取り外す前にケースを取り扱う可能性があっても、第１の包装材８の外面８ａは可能性のある細菌、バクテリア、ウイルス、又は他の病原体と接触する危険性がない。
【０１０８】
必ずしも必要ではないが、有利には第２の包装材９は遮蔽領域１５を有し、この場合利用者は遠隔制御装置を自由に使用できるようにするために第２の層９を取り外さなければならない。このようにして利用者が使用前に第２の層９を取り外すことを忘れる危険性を低減する。
【０１０９】
以上の説明から本発明の対象装置の特徴は明らかであり、同様に相対的な利点も明らかである。
【０１１０】
最後に、このように着想した装置は全て本発明に包含される多数の修正及び変形を受けることができることは明らかである。さらに、詳細な内容の全てを技術的に均等な要素に置き換えることができる。実際には、使用する材料及びサイズは技術的要件に応じていかなるものであってもよい。
【図１】
2021524195.tif 000003
【図２】
2021524195.tif 000004
【図３】
2021524195.tif 000005
【図３ｂ】
2021524195.tif 000006
【図４】
2021524195.tif 000007
【図５】
2021524195.tif 000008
【図６】
2021524195.tif 000009
【図７】
2021524195.tif 000010
【図８】
2021524195.tif 000011
【図９】
2021524195.tif 000012
【図１０】
2021524195.tif 000013
【図１１】
2021524195.tif 000014
【図１２】
2021524195.tif 000015
【図１３】
2021524195.tif 000016
【図１４】
2021524195.tif 000017
【図１５】
2021524195.tif 000018
【図１６】
2021524195.tif 000019
【国際調査報告】
2021524195.tif 000020
2021524195.tif 000021